(57)【要約】【課題】スキャンが必要になった場合でもユーザが視聴したい番組を速やかに選択する。【解決手段】有効周波数帯域をスキャンして受信可能なチャンネルを検索する検索手段１０２，１０３と、この検索手段１０２，１０３による検索中に検出された受信可能なチャンネルの情報を順次表示する表示手段１０２，１０７とを備えたデジタル放送受信機において、検索手段１０２，１０３の検索中にユーザによるチャンネル選択の指定を受け付ける選択受付手段１０１と、その選択受付手段１０１によりチャンネル選択の指定が受け付けられると、その時点で検索を停止し、選択されたチャンネルをそれ以降の受信チャンネルに決定するチャンネル決定手段１０２を備える。【選択図】図１
2009111646.tif 000002
【特許請求の範囲】
【請求項１】
有効周波数帯域をスキャンして受信可能なチャンネルを検索する検索手段と、
この検索手段による検索中に検出された受信可能なチャンネルの情報を順次表示する表示手段と
を備えたデジタル放送受信機において、
上記検索手段の検索中にユーザによるチャンネル選択の指定を受け付ける選択受付手段と、
上記選択受付手段により上記チャンネル選択の指定が受け付けられると、その時点で検索を停止し、選択されたチャンネルをそれ以降の受信チャンネルに決定するチャンネル決定手段と、
を備えることを特徴とするデジタル放送受信機。
【請求項２】
前記表示手段は、受信可能なチャンネルの情報を個々のチャンネル毎に画面を切り替えて表示し、
前記チャンネル決定手段は、ユーザによる検索中止の操作が行われたときに、その時点で表示されていたチャンネルが選択されたものと判断することを特徴とする請求項１記載のデジタル放送受信機。
【請求項３】
前記表示手段は、以前に表示された情報をユーザの操作により再表示する機能を含み、
前記チャンネル決定手段は、その再表示されている情報がユーザにより選択されたときには、その再表示されている情報のチャンネルが選択されたものと判断することを特徴とする請求項２記載のデジタル放送受信機。
【請求項４】
前記表示手段は、受信可能なチャンネルの情報をサムネイル表示する機能を含み、
前記チャンネル決定手段は、ユーザによる検索中止の操作が行われたときにはその時点でサムネイル表示されていた最新のチャンネルを、サムネイル表示上の特定のチャンネルをユーザが指定したときにはそのチャンネルを決定することを特徴とする請求項１記載のデジタル放送受信機。
【発明の詳細な説明】
【技術分野】
【０００１】
本発明はデジタル放送受信機に関する。
【背景技術】
【０００２】
近年、国内のみならず世界中において放送のテジタル化が進んでおり、テレビ、ラジオ共にデジタル技術が導入されつつある。デジタル放送はアナログ放送に比べ高品質な映像・音声を視聴者に提供することができ、アナログ放送よりも伝送可能な情報量が多いことから、様々な情報を視聴者に提供することが可能となっている。
【０００３】
また、デジタル放送における伝送方式や受信装置の小型軽量化・低消費電力化などの技術発展に伴い、携帯電話や車載ＡＶＮ（Audio Visual Navigation）システムなどの移動体に受信機を取り込んで鮮明な映像・音声が提示することが可能となっており、放送としての利便性が高まっている。
【０００４】
一般的なデジタル放送受信機では、固定・移動体に関わらず、有効周波数帯域の全ての有効チャンネルに対して放送波が存在するかをチェックし、受信可能な放送局をリスト化するスキャン機能を備えている場合が多い（例えば、特許文献１を参照）。ユーザは、作成されたリストの中から希望する放送局を直接、またはリモコンキーに割り当てられたキーから選択することで、その放送局から放送されている番組が視聴可能となる。
【０００５】
図６にリスト化された放送局一覧の一例を示す。この例では、検出された放送局名情報と共に、各放送局に割り当てられたリモコン番号やロゴマーク、放送されているサービスなどが同時に表示される。また、各放送局から送出される番組情報（ＥＰＧ：Electronic Program Guide）を新聞のテレビ欄のように配置し、スキャンによって検出された放送局の時間帯ごとの放送番組一覧を表示する機能を備えた受信機も知られている。番組情報は、定期的な時間間隔、またはユーザによって選局されたタイミングで最新の情報に更新される。
【０００６】
ユーザは、放送局リスト・番組表を確認することで、現在放送中の放送局ごとの番組内容を知ることができる。また、番組表の中に図６の放送局リストに含まれるリモコン番号やロゴなどの放送局固有の情報を同時に表示させる受信機も知られており、番組表の中の現在放送中の番組を選択して選局を行うことができたり、今後放送予定の番組を選択することで録画予約を行うことができたりする受信機も知られている。
【特許文献１】特願２００５−２１０３８６号公報
【発明の開示】
【発明が解決しようとする課題】
【０００７】
前述のように、デジタル放送受信に対応した受信機には、現在受信可能な放送局を検出する機能が設けられたものや、検出したすべての放送局が放送する番組内容の一覧表示を行う機能が設けられたものがある。
【０００８】
しかし、受信機が移動体である場合、受信機が移動することにより信号受信状況が常に変化するため、番組表に記載されている番組へ切り替えた際に、必ずしもその放送が受信できるとは限らない。受信機が位置する場所によっては、放送波の伝送範囲外であるなどの理由から、切り替え先の放送局が受信できない場合も有り得る。受信できない状況においては、映像信号と音声信号が復号できないため、視聴者へ提示する映像・音声が全く出力できないことになる。
【０００９】
また、車載用移動体受信機では、受信機に常に電源が供給されているわけではなく、ユーザによっても使用頻度が極端に異なるため、定期的な時間にリスト上のチャンネルを受信することは難しく、常に最新の番組情報が得られているとは限らない。そのため、ユーザが好みの放送を視聴するためには、移動先でまず全てのチャンネルから受信可能なチャンネルを検索するスキャン動作を実行し、検索されたチャンネルの各番組情報が得られるのを待つか、スキャン完了後にチャンネルを切り替えて番組を見つける必要がある。
【００１０】
しかし、車載用の受信機の利用形態を考慮すると、短時間視聴であったり、スポーツその他の特定のイベントを視聴したい場合が多いと考えられる。このような場合、ユーザにとっては、視聴したいのがどの放送局かは重要ではなく、見たい番組を探し出すことが重要である。このようなユーザにとって、移動の先々で全てのチャンネルをスキャンすることは煩わしく、スキャンが終了するまで待たなければならない。
【００１１】
本発明は、このような課題を解決し、スキャンが必要になった場合でもユーザが視聴したい番組を速やかに選択することのできるデジタル放送受信機を提供することを目的とする。
【課題を解決するための手段】
【００１２】
上記目的を達成するため、本発明は、有効周波数帯域をスキャンして受信可能なチャンネルを検索する検索手段と、この検索手段による検索中に検出された受信可能なチャンネルの情報を順次表示する表示手段とを備えたデジタル放送受信機において、検索手段の検索中にユーザによるチャンネル選択の指定を受け付ける選択受付手段と、選択受付手段によりチャンネル選択の指定が受け付けられると、その時点で検索を停止し、選択されたチャンネルをそれ以降の受信チャンネルに決定するチャンネル決定手段とを備えるデジタル放送受信機としている。
【００１３】
また、別の本発明は、先の発明において、表示手段は、受信可能なチャンネルの情報を個々のチャンネル毎に画面を切り替えて表示し、チャンネル決定手段は、ユーザによる検索中止の操作が行われたときに、その時点で表示されていたチャンネルが選択されたものと判断するデジタル放送受信機としている。
【００１４】
また、別の本発明は、先の発明において、表示手段は、以前に表示された情報をユーザの操作により再表示する機能を含み、チャンネル決定手段は、その再表示されている情報がユーザにより選択されたときには、その再表示されている情報のチャンネルが選択されたものと判断するデジタル放送受信機としている。
【００１５】
また、別の本発明は、先の発明において、表示手段は、受信可能なチャンネルの情報をサムネイル表示する機能を含み、チャンネル決定手段は、ユーザによる検索中止の操作が行われたときにはその時点でサムネイル表示されていた最新のチャンネルを、サムネイル表示上の特定のチャンネルをユーザが指定したときにはそのチャンネルを決定するデジタル放送受信機としている。
【００１６】
ここで「チャンネルの情報」とは、放送局情報、番組情報、静止画または短時間の動画のいずれかを含むものとする。また、「チャンネル選択の指定」とは、ユーザによる直接的な操作だけでなく、ユーザがあらかじめ設定した条件に適合するチャンネルがあった場合を含む。さらに、「再表示されている情報がユーザにより選択された」とは、その再表示の時点における検索中止の操作を含む。
【発明の効果】
【００１７】
本発明によれば、スキャンが必要になった場合でもユーザが視聴したい番組を速やかに選択することができる。
【発明を実施するための最良の形態】
【００１８】
図１は、本発明の各実施の形態に共通するデジタル放送受信機のブロック構成図を示す。
【００１９】
この受信機は、ユーザによる操作指示がなされる入力部１０１と、入力部１０１からの操作指示信号が入力される主制御部１０２と、主制御部１０２の出力に基づき制御されるチューナ部１０３と、主制御部１０２の出力に基づき制御され、かつチューナ部１０３の出力信号を復調する復調部１０４と、復調部１０４の出力する映像・音声信号を可視映像・可聴音に変換する映像・音声出力部１０５と、主制御部１０２の制御に基づき入力部１０１の操作指示に基づく操作内容や映像・音声出力部１０５の出力する映像をディスプレイ上に表示する表示部１０６と、映像・音声出力部１０５からの音声を出力するスピーカ部１０７と、主制御部１０２のプログラムが格納されるＲＯＭ１０８（書き換え不可、もしくは書き換え可能）と、各種データなどを記憶・保持するＲＡＭ１０９とを備える。なお、復調部１０４は、この受信機が受信しようとする放送伝送方式に対応し、映像・音声データだけでなく、放送されている番組に関するデータなどを復調するためのすべての機能を含む。
【００２０】
この構成において、主制御部１０２およびチューナ部１０３は、有効周波数帯域をスキャンして受信可能なチャンネルを検索する検索手段である。スキャン時には、主制御部１０２からチューナ部１０３に順次選局を指示して有効周波数帯域をスキャンし、復調部１０４の出力を主制御部１０２で監視することにより、受信可能なチャンネルを検索する。
【００２１】
また、主制御部１０２および表示部１０６は、検索中に検出された受信可能なチャンネルの情報を順次表示する表示手段である。チャンネルの情報には、放送局情報および番組情報が含まれる。また、主制御部１０２は、映像の一部（静止画または短時間の動画）を映像・音声出力部１０５を介して表示部１０６に表示する。
【００２２】
入力部１０１は、検索中にユーザによるチャンネル選択の指定を受け付ける選択受付手段である。主制御部１０２は、チャンネル選択の指定が受け付けられると、その時点で検索を停止し、選択されたチャンネルをそれ以降の受信チャンネルに決定するチャンネル決定手段である。
【００２３】
主制御部１０２および表示部１０６は、受信可能なチャンネルの情報を個々のチャンネル毎に画面を切り替えて表示する機能を有する。主制御部１０２は、ユーザによる検索中止の操作が行われたときに、その時点で表示されていたチャンネルが選択されたものと判断する。主制御部１０２および表示部１０６は、以前に表示された情報をユーザの操作により再表示する機能を含み、主制御部１０２は、その再表示されている情報がユーザにより選択されたときには、その再表示されている情報のチャンネルが選択されたものと判断する。
【００２４】
また、主制御部１０２および表示部１０６は、受信可能なチャンネルの情報をサムネイル表示する機能を含み、主制御部１０２は、ユーザによる検索中止の操作が行われたときにはその時点でサムネイル表示されていた最新のチャンネルを、サムネイル表示上の特定のチャンネルをユーザが指定したときにはそのチャンネルを決定する。
【００２５】
（第１の実施の形態）
以下、本発明の第１の実施の形態について説明する。
【００２６】
図２は、第１の実施の形態に係るデジタル放送受信機の動作を説明する図であり、図３はその動作のフローを示す。ここでは、デジタル放送受信機として、日本国内のデジタル放送規格であるＩＳＤＢ（Integrated Services Digital Broadcasting、統合ディジタル放送サービス）−Ｔ受信機を例に説明する。
【００２７】
ＩＳＤＢ−Ｔ受信機では、有効チャンネルＵＨＦ１３〜６２チャンネルを順に選局していき、選局されたチャンネルから一定時間内に取得したトランスポートストリーム内に含まれるＰＳＩ／ＳＩ（Program Specific Information/Service Information）セクションテーブル情報内に含まれるネットワーク情報、プログラム情報、サービス情報、ＥＰＧ情報などを識別し、新たな放送局が検出されたと判断した時点で次のチャンネルの検出へ移行して、受信可能放送局一覧を作成する。
【００２８】
この動作について、図１および図３を参照してさらに詳しく説明する。主制御部１０２は、１３チャンネルを初期値とし（Ｓ１１）、チューナ部１０３にそのチャンネルを設定する（Ｓ１２）。そして、復調部１０４から出力されるトランスポートストリーム内に含まれるＮＩＴ(Network Information Table)、ＰＭＴ（Program Map Table）、ＳＤＴ（Service Description Table）、ＥＩＴ（Event Information Table）などのＰＳＩ／ＳＩセクションテーブルを検出すると（Ｓ１３においてＹｅｓ）、主制御部１０２は、ＰＭＴに記述されている映像ＥＳ（Elementary Stream）のＰＩＤ（Packet Identifier）を特定し（Ｓ１４）、復調部１０４にデコードを指示する。一方、設定されたチャンネルでチューナ部１０３が一定時間、ＰＳＩ／ＳＩセクションテーブルを検出できなかった場合（Ｓ１３においてＮｏ）には、主制御部１０２は自動的に次のチャンネルへの選局指示を行う（Ｓ１９）。ステップＳ１４に続いて、復調部１０４では、指定されたＰＩＤをもつ映像ＥＳのＩフレーム（静止画）または一定時間の動画のデコードを行い（Ｓ１５）、主制御部１０２は、デコードされた映像を、映像・音声出力部１０５を介して、表示部１０６の指定領域に表示する（Ｓ１６）。デコードされた映像には、以前に表示された映像も含まれる。すなわち、映像ＥＳと番組情報とをＲＡＭ１０９へ保存し、図２に示す左右キーをユーザが選択することで、スキャン中であっても表示を切り替えて、以前の映像と番組情報が再表示される。これにより、ユーザは、以前に表示された映像と番組情報からチャンネルを選択することができる。主制御部１０２は、また、この映像と共に、解析したＰＳＩ／ＳＩセクションテーブルから得られた放送局情報や番組情報を、表示部１０６に一定時間表示する。これにより、スキャン中に、現在検出中のチャンネルでどのような放送がされているかをユーザに提示することができる。スキャン中は、図２に示すように、画面上に「スキャン停止」ボタンが表示される。
【００２９】
主制御部１０２は、ステップＳ１６における再表示された映像と番組情報から、ユーザによるチャンネル指定を受け付けると（Ｓ１７においてＹｅｓ）、その再表示されていたチャンネルが選択されたものと判断して、チューナ部１０３をその指定されたチャンネルに設定する（Ｓ２１）。主制御部１０２は、表示部１０６の表示を番組表示に切り替え、映像・音声出力部１０５の出力する映像が主な表示となるようにする（Ｓ２２）。
【００３０】
一方、ステップＳ１７においてＮｏの場合、ユーザは、映像と放送中の番組情報を確認し、それが所望の番組内容であると判断し、その「スキャン停止」ボタンを選択することができる。ユーザにより「スキャン停止」ボタンが選択されると（Ｓ１８においてＹｅｓ）、主制御部１０２は、スキャン動作を停止し、チューナ部１０３はその時点のチャンネルを受信し続け、上述のステップＳ２２に移行する。一方、所定の時間にわたり「スキャン停止」ボタンが選択されない場合には（Ｓ１８においてＮｏ）、ユーザの所望する番組でないので、主制御部１０２は、次のチャンネルへの選局指示をチューナ部１０３と復調部１０４へ指示する（Ｓ１９）。そして、ＣＨ＞６２になれば（ステップＳ２０においてＹｅｓ）、ＣＨが６２以下であれば（ステップＳ２０においてＮｏ）、ステップＳ１２に戻り、同様の動作を全てのチャンネルに対して行う。なお、ステップＳ１７およびステップＳ２１を行わず、「スキャン停止」ボタンによるその時点のチャンネルを選択するだけの機能としても良い。
【００３１】
このように、第１の実施の形態では、スキャン中に受信したチャンネルの映像・番組情報を同時に提示し、ユーザの所望する番組が見つかった時点でスキャン動作を停止することができる。これにより、スキャンを頻繁に行う必要がある車載用や携帯用などの移動体デジタル放送受信機において、ユーザは、すべのチャンネルのスキャンが終了するのを待たなくても、希望の番組を見つけることができる。
【００３２】
（第２の実施の形態）
次に、本発明の第２の実施の形態について説明する。第２の実施の形態では、第１の実施の形態と共通する部分については、その説明を省略する。
【００３３】
図４は、第２の実施の形態に係るに係るデジタル放送受信機の動作を説明する図であり、図５は、その動作のフローを示す。第２の実施の形態では、受信可能なチャンネルの情報をサムネイル表示する点が、第１の実施の形態と大きく異なる。すなわち、主制御部１０２は、ＰＭＴに記述されている映像ＥＳのＰＩＤを特定して（Ｓ１４）、復調部１０４にデコードを指示すると、復調部１０４は指定されたＰＩＤをもつ映像ＥＳをデコードし（Ｓ１５）、主制御部１０２は、デコードされた映像を、映像・音声出力部１０５を介して、表示部１０６のサムネイル表示に追加する（Ｓ３１）。そして、サムネイル表示上の特定のチャンネルをユーザが指定したときには（Ｓ１７においてＹｅｓ）、そのチャンネルを選択し（Ｓ２１）、ユーザによる検索中止の操作が行われたときには（Ｓ１８においてＹｅｓ）、その時点でサムネイル表示されていた最新のチャンネルをそのまま選択する。
【００３４】
第２の実施の形態では、受信可能なチャンネルの映像一覧をユーザに提示可能なため、さらに希望の番組を見つけやすくすることができる。ユーザはサムネイル表示された検出チャンネルの静止画または短時間の動画から希望の番組を選択することで、スキャン中であっても希望の番組を選択することができる。また、画像表示の代わりに、現在それぞれの放送局で放送中の番組情報の一覧を順次提示することもできる。
【００３５】
複数のチューナ部および復調部を備えたデジタル放送受信機では、第１の実施の形態あるいは第２の実施の形態におけるスキャン動作を平行して行うこともできる。例えば、ひとつのチューナ部では１３〜３７チャンネル、他のチューナ部では３８〜６２チャンネルと分担して、スキャンを行うことができる。これにより、スキャン動作を高速化することができる。
【００３６】
第１の実施の形態および第２の実施の形態の説明では、デジタル放送受信機が移動して信号受信状況が変化したときにスキャン動作を行う場合を前提にしたが、これらのスキャン動作を定常受信中に定期的に行うこともできる。特に、デジタル放送受信機が複数のチューナ部および復調部を備えている場合には、ひとつのチューナ部がスキャン動作を実行していない定常受信中に、他のチューナ部で定期的にスキャンを行うことができる。ユーザは、チャンネルリストから好みの放送局を選択する際に、画像を見ながら選択することができる。
【００３７】
ユーザが好みのジャンルを登録しておくことで、スキャン時に自動的に番組情報からジャンル判別を行い、ユーザが登録したジャンルと一致した放送局を検出した場合にスキャン動作を停止し、ユーザが登録したジャンルの放送を自動的に受信させることもできる。
【図面の簡単な説明】
【００３８】
【図１】本発明の各実施の形態に係るデジタル放送受信機のブロック構成図である。
【図２】本発明の第１の実施の形態の動作を説明する図である。
【図３】本発明の第１の実施の形態の動作フローを示す図である。
【図４】本発明の第２の実施の形態の動作を説明する図である。
【図５】本発明の第２の実施の形態の動作フローを示す図である。
【図６】従来の技術においてリスト化された放送局一覧の一例を示す図である。
【符号の説明】
【００３９】
１０１  入力部（選択受付手段）
１０２  主制御部（検索手段、表示手段、チャンネル決定手段）
１０３  チューナ部（検索手段）
１０４  復調部
１０５  映像・音声出力部
１０６  表示部（表示手段）
１０７  スピーカ部
１０８  ＲＯＭ
１０９  ＲＡＭ
【図１】
2009111646.tif 000003
【図２】
2009111646.tif 000004
【図３】
2009111646.tif 000005
【図４】
2009111646.tif 000006
【図５】
2009111646.tif 000007
【図６】
2009111646.tif 000008